(57)【特許請求の範囲】
【請求項１】
軸方向への押圧によって開弁しエアゾール内容物を噴射可能としたエアゾール容器のステムにノズル管を接続し、このノズル管の外面軸方向に押圧リブ及び嵌合リブを別個に分離して突設し、この嵌合リブを、エアゾール容器の上端に固定したキャップ本体の嵌合溝に嵌合してキャップ本体に対して円周方向に回転不能とするとともにノズル管の押圧リブの先端に、ノズル管の軸方向と直角方向に摺動可能とした押釦のテーパー面を接触し、押釦をノズル管の軸方向と直角に押圧する事により、押圧リブを介してノズル管を押し下げ、エアゾール内容物を噴射可能とした事を特徴とするエアゾール容器のバルブ開閉機構。
【請求項２】
キャップ本体は、外周を１８０°以上被覆する非連結の円筒形押釦カバーを着脱可能に装着し、この押釦カバーの内面に、キャップ本体から突出する押釦の押圧部を被覆する被覆凹部と、キャップ本体の表面に突き当てる突当部とを形成した事を特徴とする請求項１のエアゾール容器のバルブ開閉機構。
【発明の詳細な説明】
【０００１】
【産業上の利用分野】
本発明は、頭髪用品、化粧品、消臭・制汗剤、その他の人体用品、殺虫剤、催涙ガス、クリーナー、その他の家庭用品、工業用品、自動車用品、食品等のエアゾール内容物を噴射するエアゾール容器に於いて、ステムの軸方向とは直角方向に押釦を押圧して、バルブ機構を開弁し、エアゾール内容物を噴射可能とするエアゾール容器のバルブ開閉機構に係るものである。
【０００２】
【従来の技術】
従来、軸方向への押圧によって開弁するバルブ機構のステムを、軸方向とは直角方向に押圧して、エアゾール内容物の噴射を行う方式のものに、実開昭６２−１８３５７３号公報記載の考案の如きバルブ開閉機構が存在した。この従来方法は、ステムの両側に突出した一対の係合突起を、下端にテーパー面を設けた押釦にてノズルの軸方向と直角方向に押圧すると、テーパー面が係合突部を軸方向に押圧し、ステムを押し下げる。このステムの下降により、バルブ機構が開弁し、エアゾール内容物の噴出が可能となっていた。
【０００３】
【発明が解決しようとする課題】
しかしながら、この従来のバルブ開閉機構では、ノズル管と押釦の組み立て作業時に、ノズル管の両側に突設した係合突部と押釦のテーパー面とが確実に接触するよう、双方の位置合わせを正確にする必要があった。このように位置合わせに多くの手数を必要とするため、自動組み立て機械等で迅速に組み立てるのが困難であるし、位置合わせが少しでもずれた場合は、エアゾール装置の円滑な操作ができなくなり、不良品となる事が多いため、量産品として好ましくないものであった。
【０００４】
この位置合わせの手間を解消するため、実公平６−３２８６７号公報記載の考案の如く、ノズル管の外周に、エアゾール容器側を幅広とし先端側を幅狭とする傘型の環状傘型部を形成し、この環状傘型部の表面に、押釦のテーパー面を接触可能に形成したものが存在した。そして、ステムの軸方向とは直角方向に押釦を押圧すると、押釦のテーパー面が環状傘型部の外周面を押圧してノズル管を押し下げる事により、バルブの開弁方向にステムを下降可能としていた。この方式では、ノズル管に環状傘型部を設けたので、ノズル管を３６０°方向の何れの方向からでも、テーパー面で押圧する事ができるので、押釦とノズル管との精密な位置合わせをする必要がなく、組み立て作業を簡易に行う事ができた。
【０００５】
しかしながら、押釦のテーパー面が環状傘型部の外周面を押圧する二点を結ぶ直線は、ノズル管の中心軸を直角に通過するものではないため、ノズル管を軸方向と平行に押し下げる事ができなかった。そして、押釦の押圧力がノズル管の下降方向に確実に変換されず、ノズル管の軸に対して直角方向への力も作用していた。また、押釦のテーパー面と環状傘型部の外周面とは、点接触となるため、ノズル管をプラスチック材等で形成した場合に、強い押圧力が加わると、テーパー面が環状傘型部に食い込む事があり、軸方向への押圧を更に困難としていた。従って、エアゾール内容物の噴射が可能な位置まで、ステムを下降するには、押釦を大きな力で押圧する必要があり、ノズル管のスムーズな下降を妨げるとともに、ノズル管が湾曲したり破損する虞れもあった。
【０００６】
本発明は上述の如き欠点を除去するため、軸方向とは直角方向に押釦を押圧してエアゾール内容物を噴射するエアゾール装置に於いて、押釦の押圧力をステムの押し下げ力に確実に変換し、バルブ機構を容易に開弁して、エアゾール内容物を円滑に噴射可能とするエアゾール容器のバルブ開閉機構を得る。また、ノズル管と押釦の位置合わせを簡易に行って、エアゾール製品の量産化と品質の向上を可能とするものである。
【０００７】
【課題を解決するための手段】
本発明は上述の如き課題を解決するため、軸方向への押圧によって開弁しエアゾール内容物を噴射可能としたエアゾール容器のステムにノズル管を接続し、このノズル管の外面軸方向に押圧リブ及び嵌合リブを別個に分離して突設し、この嵌合リブを、エアゾール容器の上端に固定したキャップ本体の嵌合溝に嵌合してキャップ本体に対して円周方向に回転不能とするとともにノズル管の押圧リブの先端に、ノズル管の軸方向と直角方向に摺動可能とした押釦のテーパー面を接触し、押釦をノズル管の軸方向と直角に押圧する事により、押圧リブを介してノズル管を押し下げ、エアゾール内容物を噴射可能として成るものである。
【０００８】
また、キャップ本体は、外周を１８０°以上被覆する非連結の円筒形押釦カバーを着脱可能に装着し、この押釦カバーの内面に、キャップ本体から突出する押釦の押圧部を被覆する被覆凹部と、キャップ本体の表面に突き当てる突当部とを形成しても良い。
【０００９】
【作用】
本発明は、上述の如く構成したものであり、各部品の組み立て作業を行う際には、キャップ本体の嵌合溝に、ノズル管の嵌合リブを嵌合する事により、ノズル管を円周方向に回転不能として、係合安定性が高まるとともに、ノズル管に突設した押圧リブが、押釦のテーパー面との係合位置に正確に配置されるので、精密な位置合わせの手間を必要とせず、容易に行う事ができる。従って、自動組み立て機械等による円滑な製作も可能となるとともに、不良品の発生率も低下するので、エアゾール製品の量産化と品質の向上が可能となる。
【００１０】
そして、上述の如きエアゾール装置にてエアゾール内容物を噴射するには、押釦を手指で押圧して、ノズル管の軸方向と直角方向に摺動する。この摺動により、押釦のテーパー面も直角方向に摺動し、このテーパー面に係合した押圧リブを軸方向に押圧する。この押圧により、ノズル管がエアゾール容器方向に下降して、ステムを押し下げるので、バルブ機構が開弁して、軸方向にエアゾール内容物を噴射する事ができる。
【００１１】
また、実公平６−３２８６７号の従来技術では、テーパー面は、環状傘型部をノズル管の中心軸を直角に通過する直線から離れた位置で点状に押圧しているため、ノズル管の押し下げを良好に行えなかった。しかし、本発明では、ノズル管の中心軸を直角に通過する直線に近い位置で、両側から軸方向に平行に押圧リブを押圧するので、押釦の直角方向への押圧力が、効率的にノズル管の押し下げ方向への力に変換されて、ステムを押し下げるものとなる。また、テーパー面と押圧リブとは線状に接触するので、テーパー面による押圧力が一点に集中する事がなく、テーパー面の押圧リブへの食い込み等を防止して、スムーズな押圧が可能となる。
【００１２】
従って、押釦の押圧に無駄な力を必要とせず、エアゾール内容物の噴射を容易に行う事ができとともに、ノズル管には直角方向に大きな力が作用する事はなく、ノズル管に傾きや破損を生じにくいものとなる。また、ノズル管の軸方向に設けた嵌合リブとキャップ本体の嵌合溝との嵌合により、ノズル管が円周方向に回転する事がないので、ノズル管の押圧リブと押釦のテーパー面との位置合わせを簡易かつ確実に行う事ができる。
【００１３】
また、エアゾール内容物の未使用時の誤噴射を防止するため、キャップ本体は、外周を１８０°以上被覆する非連結の円筒形押釦カバーを着脱可能に装着する事により、押釦の誤作動防止機構としても良い。そして、この押釦カバーの内面に、キャップ本体から突出する押釦の押圧部を被覆する被覆凹部と、キャップ本体の表面に突き当てる突当部とを設けて形成する。
【００１４】
このように押圧カバーは、非連結の円筒形としているから、内径を自在に拡縮する事ができ、非連結部分を介してキャップ本体への着脱を容易に行う事ができる。そして、キャップ本体に押釦カバーを装着したエアゾール容器では、転倒や衝突等の衝撃を受けても、エアゾール内容物の誤噴射を確実に防止する事ができる。
【００１５】
そして、上記のエアゾール製品は、頭髪用品、化粧品、消臭・制汗剤、その他の人体用品、殺虫剤、催涙ガス、クリーナー、その他の家庭用品、工業用品、自動車用品、食品等の噴霧量調節が好ましい内容物に用いる事ができる。そして、頭髪用品として、ヘアースプレー、ヘアートリートメント、ヘアーシャンプー・リンス、酸性染毛剤、酸化型２剤タイプ永久染毛剤、カラースプレー・脱色剤、パーマ剤、育毛剤、ヘアートニック、寝癖直しスプレー、髪用フレグランス等に用いる事ができる。
【００１６】
また、化粧品として、アフターシェーブローション、香水・オーデコロン、洗顔料、日焼け止め、ファンデーション、脱毛・脱色剤、浴用剤等に用いる事ができる。
【００１７】
また、消臭・制汗剤としては、制汗剤、消臭剤、ボディシャンプー等に用いる事ができる。また、その他の人体用品としては、筋肉消炎剤、皮膚疾患剤、水虫薬、害虫忌避剤、清拭剤、口腔剤、傷薬、やけど治療剤等に用いる事ができる。また、催涙ガスに用いる事ができる。
【００１８】
また、殺虫剤としては、空間殺虫剤、ゴキブリ殺虫剤、園芸用殺虫剤、殺ダニ剤、不快害虫剤等に用いる事ができる。
【００１９】
また、クリーナーとしては、浴用クリーナー、床・家具艶だしクリーナー、靴・皮革クリーナー、ワックス艶だし剤等に用いる事ができる。また、その他の家庭用品としては、室内消臭剤、トイレ用消臭剤、防水剤、洗濯糊、除草剤、衣類用防虫剤、防炎剤、除菌剤等に用いる事ができる。
【００２０】
また、工業用としては、潤滑防錆剤、離型剤等に用いる事ができる。また、自動車用としては、防曇剤、解氷剤等に用いる事ができる。その他、動物用品、趣味娯楽用品、食品、例えばコーヒー、ジュース等に用いる事ができる。
【００２１】
【実施例】
以下、本発明を携帯用の小型エアゾール製品で実施した一例を図面に於て説明すれば、(１)はエアゾール容器で、軸方向への押圧によって開弁しエアゾール内容物を噴射可能とするバルブ機構を内部に収納するとともに、上端のカシメ部(２３)にキャップ本体(２)を嵌合固定している。このキャップ本体(２)の内部には、図１に示す如く、軸方向にエアゾール内容物の噴出路(２４)を設け、上端をノズル(４)とするノズル管(３)を収納し、このノズル管(３)の下端を、エアゾール容器(１)から突出するバルブ機構のステム(５)に接続している。
【００２２】
そして、バルブ機構の開閉を制御するバルブ開閉機構を、前記ノズル管(３)、キャップ本体(２)及びノズル管(３)を押圧する押釦(６)にて構成している。前記キャップ本体(２)は、上面中央に、円筒状のノズル係合部(７)を設け、ノズル管(３)のノズル(４)側を挿入係合している。そして、図１乃至図５に示す如く、このノズル管(３)の外面軸方向に、一対の嵌合リブ(８)を突設し、キャップ本体(２)のノズル係合部(７)の軸方向に設けた嵌合溝(１０)に嵌合している。この嵌合リブ(８)と嵌合溝(１０)との嵌合、及びノズル係合部(７)内への先端部側の挿入係合により、ノズル管(３)は、キャップ本体(２)に対して円周方向に回転不能となるとともに軸方向への円滑な摺動を可能としている。また、ノズル管(３)には、前記嵌合リブ(８)とは別個に分離して、円周方向に９０°の角度を介した外面軸方向には、一対の押圧リブ(１１)を設けている。この押圧リブ(１１)は、図５の二点鎖線で示す如く、ノズル管(３)の中心軸を直角に通過する直線上の両側に突設している。
【００２３】
また、ノズル管(３)には、このノズル管(３)を軸方向に押圧して、ステム(５)を押し下げるための押釦(６)を接続している。この押釦(６)は、キャップ本体(２)の側面に突設した押圧部(１２)を、手指で押圧する事により、ノズル管(３)の軸方向と直角に摺動可能としている。
【００２４】
そして、この押釦(６)は、ノズル管(３)の軸方向と直角に配置する基板(１３)を側面に突出し、キャップ本体(２)内に配置している。そして、この基板(１３)には、図１、図２に示す如く、押釦(６)の摺動方向に長孔(１４)を設け、この長孔(１４)内にノズル管(３)を貫通配置している。更に、基板(１３)の下端には、押釦(６)の摺動先側を頂点とし、押圧部(１２)方向に傾斜するテーパー面(１５)を下端に設けた、一対の側壁(１６)を、摺動方向と平行に配置している。このような押釦(６)の構成により、テーパー面(１５)は、押釦(６)の摺動と連動してノズル管(３)の軸方向と直角に摺動可能としている。
【００２５】
上記の如く構成した押釦(６)のテーパー面(１５)に、図１、図２に示す如く、前記ノズル管(３)の押圧リブ(１１)の先端を接触係合している。このテーパー面(１５)と押圧リブ(１１)は、組み立て作業時に、実開昭６２−１８３５７３号の従来例の如く精密な位置合わせをしなくても、確実な接触係合が可能となる。即ち、キャップ本体(２)の嵌合溝(１０)に、ノズル管(３)の嵌合リブ(８)を嵌合すると、ノズル管(３)の押圧リブ(１１)が確実にテーパー面(１５)との係合位置に配置されるように各部品を構成しているためである。
【００２６】
そして、押釦(６)がノズル管(３)の軸方向と直角に摺動すると、テーパー面(１５)が押圧リブ(１１)を軸方向に押圧し、ノズル管(３)を押し下げる。このこのテーパー面(１５)による押圧リブ(１１)の押圧は、実公平６−３２８６７号の如くノズル管(３)の中心軸を直角に通過する直線から離れた位置で点状に押圧するのではなく、本発明では、図５の二点鎖線で示す如く、ノズル管(３)の中心軸を直角に通過する直線に近い位置で、両側から軸方向に平行に押圧リブ(１１)を押圧するものである。従って、押釦(６)の直角方向への押圧力が、効率的にノズル管(３)の押し下げ方向への力に変換される。また、本発明では、テーパー面(１５)と押圧リブ(１１)とは線状に接触するので、テーパー面(１５)による押圧力が押圧リブ(１１)の一点に集中する事がなく、互いの食い込み等を防止して、スムーズな押圧が可能となる。従って、押釦(６)の押圧に無駄な力を必要とせず、バルブ機構の開弁を容易に行う事が可能となる。
【００２７】
また、この軸方向への効率的な力の作用により、ノズル管(３)には直角方向に大きな力が作用する事がないため、ノズル管(３)の湾曲や破損を良好に防止する事ができる。そして、嵌合溝(１０)と嵌合リブ(８)との嵌合による回り止め効果も相俟って、ノズル管(３)を軸方向に円滑に摺動させる事が可能となる。このノズル管(３)の下降に連動して、ステム(５)が下降する事により、バルブ機構が開弁し、ノズル管(３)のノズル(４)から軸方向にエアゾール内容物が噴射されるものとなる。
【００２８】
また、本実施例のエアゾール装置は、キャップ本体(２)の外周に、図１、図６に示す如く、押釦(６)の誤作動防止用の押釦カバー(１７)を装着している。この押釦カバー(１７)は、キャップ本体(２)の外周を１８０°以上被覆する非連結の円筒形に形成する事により、内径を自在に拡縮可能で、この非連結部分を介してキャップ本体(２)への容易な着脱を可能としている。
【００２９】
そして、押釦カバー(１７)は、内面中央に押釦(６)の押圧部(１２)を被覆する被覆凹部(１８)を外方に突設するとともに、この被覆凹部(１８)以外の内周面を、キャップ本体(２)の外周面に突き当てて、突当部(２０)とし、キャップ本体(２)への装着性を高めている。更に、押釦カバー(１７)は、非連結部方向の両先端でキャップ本体(２)を挟持し、押釦カバー(１７)の脱落を防止している。
【００３０】
また、本実施例では、押釦カバー(１７)の一側を、図６、図７に示す如く、折曲可能な粘着フィルム(２１)にてキャップ本体(２)外周に止着する事により、キャップ本体(２)と押釦カバー(１７)の分離や位置ズレを防止するとともに、キャップ本体(２)から外した際の押釦カバー(１７)の落下や紛失を防いでいる。また、この止着側とは反対側の外面に、係合用のクリップ(２２)を突設している。
【００３１】
上述の如く構成した小型エアゾール製品は、押釦カバー(１７)のクリップ(２２)にて、ポケットやカバンの縁等に係合して、手軽に携帯する事ができる。そして、エアゾール内容物の未使用時には、図１に示す如く、押釦(６)のテーパー面(１５)の頂点側にノズル管(３)の押圧リブ(１１)が位置して、ノズル管(３)を非押圧状態としているので、バルブ機構が閉弁し、エアゾール内容物が不用意に噴射する事はない。また、キャップ本体(２)の外周に押釦カバー(１７)を装着して、押釦(６)の誤作動を防止する事により、エアゾール内容物の誤噴射防止効果を高めている。
【００３２】
そして、エアゾール内容物を噴射するには、クリップ(２２)による係合を解除して、ポケットやカバンからエアゾール製品を取り出す。次に、図７に示す如く、キャップ本体(２)から押釦カバー(１７)を外して、押釦(６)の押圧部(１２)を露出させ、この押圧部(１２)を親指でノズル管(３)の軸方向と直角に押圧する。この押圧により、図３に示す如く、押釦(６)のテーパー面(１５)が軸方向と直角に摺動し、このテーパー面(１５)に係合したノズル押圧リブ(１１)を、エアゾール容器(１)方向に押圧する。この押圧により、ノズル管(３)とともにステム(５)が下降するので、バルブ機構が開弁し、図３、図７に示す如く、ノズル管(３)のノズル(４)から、軸方向にエアゾール内容物が噴射されるものである。
【００３３】
また、上記実施例では、ノズル管(３)の嵌合リブ(８)と押圧リブ(１１)とを、円周方向に９０°の角度を介して配置しているが、９０°よりも小さな角度を介して配置しても良いし、同一軸線状に別個に分離して配置しても良い。但し、嵌合リブ(８)の回り止め効果や、押釦(６)のテーパー面(１５)による押圧リブ(１１)の押圧効果等、互いの機能を損なう事がないようにする。更に、キャップ本体(２)にノズル管(３)を挿入配置した際に、テーパー面(１５)と押圧リブ(１１)との位置合わせを正確に行う事ができるとともに、テーパー面(１５)が、ノズル管(３)を中心軸を直角に通過する直線に近い位置で押圧リブ(１１)を押圧可能となるよう考慮して形成する。また、嵌合リブ(８)を嵌合する嵌合溝(１０)は、キャップ本体(２)の上方に形成したノズル係合部(７)に設けているが、嵌合リブ(８)を嵌合して回り止め効果と位置合わせ効果を持つものであれば、キャップ本体(２)の何れの位置に設けても良い。
【００３４】
【発明の効果】
本発明は上述の如く構成したものであるから、軸方向とは直角に押釦を押圧し、押釦のテーパー面がノズル管の押圧リブと線上に接触して、ノズル管の中心軸を直角に通過する直線に近い位置にて、ステムと接続するノズル管を両側から軸方向に平行に押圧する事ができる。そのため、押釦の押圧力をステムの押し下げ方向に確実に変換して、小さな押圧力で容易にバルブ機構の開弁を行い、エアゾール内容物を良好に噴射する事ができる。また、キャップ本体の嵌合溝とノズル本体の嵌合リブとを嵌合してノズル管の回転を防止しているので、ノズル管の押圧リブと押釦のテーパー面との位置合わせを簡単かつ正確に行う事ができ、エアゾール装置の組み立て作業を容易なものとする事ができる。
【図面の簡単な説明】
【図１】本発明のバルブ開閉機構を設けたエアゾール容器の第１実施例の断面図。
【図２】押釦のテーパー面とノズル管の押圧リブとの係合関係を示す斜視図。
【図３】押釦を押圧して、エアゾール内容物を噴射した状態の断面図。
【図４】ノズル管の拡大平面図。
【図５】図４の上面図。
【図６】図１の全体斜視図。
【図７】図３の全体斜視図。
【符号の説明】
１  エアゾール容器
２  キャップ本体
３  ノズル管
５  ステム
６  押釦
８  嵌合リブ
１０  嵌合溝
１１  押圧リブ
１２  押圧部
１５  テーパー面
１７  押釦カバー
１８  被覆凹部
２０  突当部
【図１】
0004204727.tif 000002
【図２】
0004204727.tif 000003
【図３】
0004204727.tif 000004
【図４】
0004204727.tif 000005
【図５】
0004204727.tif 000006
【図６】
0004204727.tif 000007
【図７】
0004204727.tif 000008